(57)【要約】【課題】エンジンの冷却性や横風安定性を損なうことなく、簡単な構造で車両の走行時の空気抵抗を低減し得る整流装置を提供する。【解決手段】車両１の下部側方の車両１底面と路面の間に整流装置２を取り付ける。整流装置２は、フロント側に位置する第一整流板４と、該第一整流板４のリヤ側に隣接する第二整流板５とを備え、該第一整流板４と該第二整流板５は、各々が車両１の左右方向内側から外側へ向かって張り出し、リヤ側へ向かって湾曲する曲面を形成し、リヤ側端部は車両１の側面に沿う面をなしている。第一整流板４の後面４ａと第二整流板５の前面５ａの間には空気の流れる流路６が形成され、第一整流板４の後面４ａと第二整流板５の前面５ａがなす隙間は、フロント側からリヤ側へ向かうにつれて幅が狭くなり、そこを通過する空気は、流路が狭められて流速が速くなるよう構成される。【選択図】図１
2015229464.tif 000002
【特許請求の範囲】
【請求項１】
車両の下部側方の車両底面と路面の間に取り付けられ、
車両の左右方向内側から外側へ向かって張り出し、リヤ側へ向かって湾曲する曲面をなす整流板を備え、
該整流板のリヤ側端部は車両の側面に沿う面をなすこと
を特徴とする車両の整流装置。
【請求項２】
前記整流板として、フロント側に位置する第一整流板と、該第一整流板のリヤ側に隣接する第二整流板とを備え、
前記第一整流板の後面と、前記第二整流板の前面の間に空気の流れる流路が形成され、
前記第一整流板の後面と、前記第二整流板の前面がなす隙間は、フロント側からリヤ側へ向かうにつれて幅が狭くなり、そこを通過する空気は、流路が狭められて流速が速くなるよう構成されていること
を特徴とする請求項１に記載の車両の整流装置。
【請求項３】
前記第一整流板と前記第二整流板は、単一の板材の中央部を切り起こすことにより、前記板材のうち切り起こした部分を前記第二整流板とし、残りの部分を前記第一整流板として形成したことを特徴とする請求項１又は２に記載の車両の整流装置。
【請求項４】
フロントタイヤの後方に備えられていることを特徴とする請求項１〜３のいずれか一項に記載の車両の整流装置。
【発明の詳細な説明】
【技術分野】
【０００１】
本発明は、簡単な構造で車両の走行時の空気抵抗を低減し得る車両の整流装置に関する。
【背景技術】
【０００２】
一般に、大型トラックなどの車両の場合、荷台の下部側方を覆うようにサイドスカートなどの整流装置を設け、走行時における空力特性を高め、燃費の向上を図って経済性を高めるようにしたものがある。
【０００３】
このような車両の整流装置と関連する一般的技術水準を示すものとしては、例えば、特許文献１がある。
【先行技術文献】
【特許文献】
【０００４】
【特許文献１】特開２００７−２２３３５９号公報
【発明の概要】
【発明が解決しようとする課題】
【０００５】
しかしながら、上述のような荷台の下部側方を覆うサイドスカート式の整流装置では、車両側面の外側に沿って流れてくる空気が後輪に巻き込まれることを抑制することはできるものの、一方で、車両前面の下から車両底面と路面の間に潜り込んで車両側方へと抜けていく空気を効率良く逃がすことができないという問題があった。
【０００６】
車両の走行時においては、車両前面の下から車両底面と路面の隙間へと潜り込む空気の流れ（床下流れ）が発生するが、車両の底面は滑らかではなく、シャシにエンジンの吸気系、排気系などの配管や燃料タンクなど多数の機器が取付けられた複雑な表面構造をなしている。このため、図７に示す如く、ここへ潜り込んだ空気（床下流れ）Ａ１は、車両後部へと直線的に流れていくことはなく、さまざまな障害物に衝突して複雑な気流を形成した後、大部分は車両側方にあるタイヤとタイヤの間などの開口部から横方向へ抜け出ていく。
【０００７】
ここで、上記のようなサイドスカートが車両に装着されていると、床下流れの逃げ道である車両側方の開口部が塞がれてしまうため、この床下流れの流路に関しては、却って空気抵抗が増してしまう可能性があった。
【０００８】
また、上記のように車両底面にはエンジンなどの各種機器が取付けられているが、床下流れには、エンジンなどから発生する熱を逃がす効果もある。そして、サイドスカートでこの床下流れの逃げ道を塞いでしまうと、エンジンなどの機器が十分に冷却されず、床下に熱が籠もってしまう虞もあった。
【０００９】
さらに、車両にサイドスカートを装着した場合、サイドスカートによって車両の横風に対する受風面積が増してしまうため、横風安定性が損なわれる問題もある。上記特許文献１には、サイドスカートに貫通孔（連通部）を開け、横風を受けた時にサイドスカートの内面と外面の間に発生する圧力差を利用して空気を通すようにすることで、横風から受ける力を減らす発明が記載されているが、そのようにしても受風面積自体は変わらないため、横風安定性の低下を抑制する効果には限界があるものと考えられる。
【００１０】
また、サイドスカートを取り付けない場合には、上述したように、床下流れＡ１は図７に示す如く車両側方へと抜け出ていくが、このとき、車両側面の外側を後方へ流れる前後方向の空気の流れＡ２と、車両底面と路面の隙間から車両側方へ向かう横方向の空気の流れ（床下流れ）Ａ１が衝突して乱流が発生し、空気抵抗が増大する問題がある。床下流れＡ１の中でも、車両の最前に位置するフロントタイヤの後方から車両側方へ抜ける流れは流速、流量ともに大きいため、この箇所における空気抵抗が特に高くなる（図中、破線で囲った箇所）。
【００１１】
本発明は、斯かる実情に鑑み、エンジンの冷却性や横風安定性を損なうことなく、簡単な構造で車両の走行時の空気抵抗を低減し得る整流装置を提供しようとするものである。
【課題を解決するための手段】
【００１２】
本発明は、車両の下部側方の車両底面と路面の間に取り付けられ、車両の左右方向内側から外側へ向かって張り出し、リヤ側へ向かって湾曲する曲面をなす整流板を備え、該整流板のリヤ側端部は車両の側面に沿う面をなすことを特徴とする車両の整流装置にかかるものである。
【００１３】
而して、このようにすれば、車両の側方へと抜け出る床下流れの向きを車両側面を後方へ流れる空気の流れとほぼ平行とすることができるため、前記流路を通過した床下流れと、車両側面を後方へ流れる空気の流れとの間で発生する空気の乱れを抑えることができる。且つ、車両下部側面はほぼ全面に亘り開放されているため、エンジンの熱を効率的に逃がすことができ、横風安定性が低下することもない。
【００１４】
本発明の車両の整流装置においては、前記整流板として、フロント側に位置する第一整流板と、該第一整流板のリヤ側に隣接する第二整流板とを備え、前記第一整流板の後面と、前記第二整流板の前面の間に空気の流れる流路が形成され、前記第一整流板の後面と、前記第二整流板の前面がなす隙間は、フロント側からリヤ側へ向かうにつれて幅が狭くなり、そこを通過する空気は、流路が狭められて流速が速くなるよう構成されていることが好ましい。
【００１５】
このようにすれば、流路を通過した床下流れは車両側面に対して剥離しにくくなり、安定して車両側面に沿って後方へと流すことができるので、空気抵抗をより効率的に低減することができる。
【００１６】
本発明の車両の整流装置において、前記第一整流板と前記第二整流板は、単一の板材の中央部を切り起こすことにより、前記板材のうち切り起こした部分を前記第二整流板とし、残りの部分を前記第一整流板として形成することができる。
【００１７】
このようにすれば、前記第一整流板と前記第二整流板を一体として形成することができるため、部品点数を減らし、部品管理のコストや組み付け作業にかかる手間を削減することができる。
【００１８】
本発明の車両の整流装置は、フロントタイヤの後方に備えられていることが好ましい。
【００１９】
このようにすれば、空気の乱れを最も効果的に低減させることができる。
【発明の効果】
【００２０】
本発明の車両の整流装置によれば、エンジンの冷却性や横風安定性を損なうことなく、簡単な構造で車両の走行時の空気抵抗を低減し得るという優れた効果を奏し得る。
【図面の簡単な説明】
【００２１】
【図１】本発明の実施による車両の整流装置を車両に取り付けた様子を示す側面図である。
【図２】本発明の実施による車両の整流装置を車両に取り付けた様子を示す底面図である。
【図３】本発明の実施による車両の整流装置の一例を示し、（ａ）は側面図、（ｂ）は平面図である。
【図４】本発明の実施による車両の整流装置の整流作用を拡大して示す概念図（底面図）である。
【図５】本発明の実施による車両の整流装置を装備した車両の走行中における空気の流れを示す概念図（底面図）である。
【図６】本発明の実施による車両の整流装置の別の例を示し、（ａ）は側面図、（ｂ）は平面図、（ｃ）は（ａ）のＣ−Ｃ矢視図である。
【図７】従来の車両の走行中における空気の流れを示す概念図（底面図）である。
【発明を実施するための形態】
【００２２】
以下、本発明の実施の形態を添付図面を参照して説明する。
【００２３】
図１〜図３は本発明の実施による車両の整流装置の形態の一例（第一実施例）を示すものである。車両１の下部側方の車両１底面と路面の間に、左右一対の整流装置２が取り付けられる。整流装置２は、車両１の最前に位置するタイヤの後方に備えられる。ここに図示する例では、車両１は前二軸、後二軸のトラックであるので、整流装置２は、フロントタイヤ３ａ、３ｂのうち前方のフロントタイヤ３ａの後方、つまりフロントタイヤ３ａと３ｂの間に取り付けられる。
【００２４】
整流装置２は、それぞれフロント側に位置する第一整流板４と、該第一整流板４のリヤ側に隣接する第二整流板５の二枚の整流板を備えている。第一整流板４と第二整流板５は、各々が車両１の左右方向内側から外側へ向かって張り出し、リヤ側へ向かって湾曲する曲面を形成しており、各々のリヤ側端部はほぼ車両の側面に沿う面をなしている。
【００２５】
第一整流板４と第二整流板５の間には、第一整流板４の後面４ａと第二整流板５の前面５ａにより、空気の流れる流路６が形成され、第一整流板４の後面４ａと第二整流板５の前面５ａがなす隙間は、車両１のフロント側からリヤ側へ向かうにつれて幅が狭くなり、これによって流路６の断面積が小さくなる先細りの形に形成されている。
【００２６】
次に、上記した実施例の作用を、図４、図５を参照して説明する。図４は、図５の一部（破線で囲った部分）を詳細に示す拡大図である。
【００２７】
車両１前面の下から車両１底面と路面の間に流れ込む空気（床下流れＡ３）は、車両１底面の構造により複雑な流路を形成した後、その一部が車両側方から横方向へと抜け出ようとする。中でも、車両１の最前に位置するフロントタイヤ３ａの後方から横方向に流れる空気が流量、流速ともに大きい。しかしながら、フロントタイヤ３ａの後方には整流装置２が取り付けられているため、床下流れＡ３はそのまま車両側方へ抜け出ることはなく、図４に示す如く、車両側方へ向かう横方向の流れが第一整流板４の後面４ａに衝突し、第一整流板４のなす曲面に沿って車両後方へと向きを変えられる。
【００２８】
そして、向きを変えられた空気は、第一整流板４の後面４ａと、そのリヤ側の第二整流板５の前面５ａとの間に形成された流路６に沿って流れていく。第一整流板４のリヤ側端部はほぼ車両１の側面に沿っているので、上記空気の流れは車両側面を後方へ流れる空気の流れＡ４とほぼ平行となって車両後方へと流れる。これによって、流路６を通過した床下流れＡ３と、車両側面を後方へ流れる空気の流れＡ４との間で発生する空気の乱れを抑えることができる。
【００２９】
また、本実施例の車両の整流装置は、車両１のフロントタイヤ３ａの後方に取り付けられているのみであり、車両下部側面を覆うものではなく、車両下部側面はほぼ全面に亘り開放されているため、従来のサイドスカート式の整流装置と異なり、エンジンの熱を効率的に逃がすことができ、横風安定性が低下することもない。
【００３０】
尚、上述の通り、床下流れＡ３のうちでも、車両１の最前に位置するフロントタイヤ３ａの後方から横方向に流れ出る空気は流量、流速が特に大きいため、整流装置２の取り付け位置をフロントタイヤ３ａの後方にすることで、空気の乱れを最も効果的に低減させることができる。
【００３１】
またこのとき、前述したように、流路６は先細りの形状をとっているため、ここを通過する床下流れＡ３は、流路が狭められて流速が速くなった状態で車両１側面に沿って後方へ向かって流されることになる。このため、流路６を通過した床下流れＡ３は車両側面に対して剥離しにくくなり、図５に示す如く、安定して車両１側面に沿って後方へと流すことができるので、空気抵抗を効率的に低減することができる。
【００３２】
したがって、上記第一実施例によれば、エンジンの冷却性や横風安定性を損なうことなく、簡単な構造で車両の走行時の空気抵抗を低減し得る。
【００３３】
図６は本発明の実施による車両の整流装置の形態の別の例（第二実施例）を示すものである。本実施例による整流装置７においては、第一整流板８と第二整流板９は、別々の部材としてではなく、単一の板材１０の中央部を矩形に切り起こすことにより、板材１０のうち切り起こした部分を第二整流板９とし、残りの部分を第一整流板８として形成してある。そして、切り起こし片である第二整流板９と、残りの部分である第一整流板８を異なる曲率で湾曲させることにより、第一整流板８の後面８ａと第二整流板９の前面９ａとの間に先細りの流路１１を形成するようにしてある。
【００３４】
このようにすれば、第一整流板８と第二整流板９を一体として形成することができるため、部品点数を減らし、部品管理のコストや組み付け作業にかかる手間を削減することができる。尚、本実施例の作用効果については、上記第一実施例と同様であるため説明を省略する。
【００３５】
したがって、本第二実施例によっても、エンジンの冷却性や横風安定性を損なうことなく、簡単な構造で車両の走行時の空気抵抗を低減し得る。
【００３６】
尚、本発明の車両の整流装置は、上述の実施例にのみ限定されるものではなく、例えば、本実施例では左右のフロントタイヤの間に一対（一段）のみ設けられているが、車両側面下方の複数箇所に複数段設置しても良いことなど、本発明の要旨を逸脱しない範囲内において種々変更を加え得ることは勿論である。
【符号の説明】
【００３７】
１  車両
２  整流装置
３ａ、３ｂ  フロントタイヤ
４  第一整流板
４ａ  後面
５  第二整流板
５ａ  前面
６  流路
７  整流装置
８  第一整流板
９  第二整流板
１０  板材
【図１】
2015229464.tif 000003
【図２】
2015229464.tif 000004
【図３】
2015229464.tif 000005
【図４】
2015229464.tif 000006
【図５】
2015229464.tif 000007
【図６】
2015229464.tif 000008
【図７】
2015229464.tif 000009